(57)【要約】【課題】より簡易な構成によって開閉ドアの開閉状態を検知可能な画像形成装置を提供する。【解決手段】画像形成装置の装置本体に移動可能に構成された第１移動部材１８及び第２移動部材２０と、装置本体に対して開閉可能な開閉部材１６に設けられ、開閉部材１６が閉じられる際に第１移動部材１８を移動させる第１押圧部１６ｄと、開閉部材１６が閉じられる際に第２移動部材２０を移動させる第２押圧部１６ｅと、装置本体の側方に配置され、第１移動部材１６が第１位置に位置し、かつ、第２移動部材２０が第２位置に位置する第１状態と、第１移動部材１６が第１位置とは異なる位置に位置する、または、第２移動部材２０が第２位置とは異なる位置に位置する第２状態のいずれかの状態を検知する検知部１９と、を備える。【選択図】図６
2015141252.tif 000002
【特許請求の範囲】
【請求項１】
画像形成装置の装置本体に対して開閉可能な開閉部材と、
前記装置本体及び前記開閉部材のうちの一方に設けられ、前記一方において移動可能に構成された第１移動部材及び第２移動部材と、
前記装置本体及び前記開閉部材のうちの他方に設けられ、前記開閉部材が閉じられる際に前記第１移動部材と接触して前記第１移動部材を移動させ、前記開閉部材が閉状態にあるときに前記第１移動部材を第１位置に位置させるように構成された第１押圧部と、
前記他方に設けられ、前記開閉部材が閉じられる際に前記第２移動部材と接触して前記第２移動部材を移動させ、前記開閉部材が閉状態にあるときに前記第２移動部材を第２位置に位置させるように構成された第２押圧部と、
前記装置本体の側方に配置され、前記第１移動部材が前記第１位置に位置し、かつ、前記第２移動部材が前記第２位置に位置する第１状態と、前記第１移動部材が前記第１位置とは異なる位置に位置する、または、前記第２移動部材が前記第２位置とは異なる位置に位置する第２状態のいずれかの状態を検知する検知部と、
を備えることを特徴とする画像形成装置。
【請求項２】
前記第１移動部材と前記第２移動部材は、前記開閉部材が前記装置本体に対して移動する方向に直交する方向に並んで配置されていることを特徴とする請求項１に記載の画像形成装置。
【請求項３】
前記第１移動部材と前記第２移動部材は、同じ方向に移動可能に構成されていることを特徴とする請求項１または２に記載の画像形成装置。
【請求項４】
前記第１移動部材と前記第２移動部材は、同軸上に回転可能に支持されていることを特徴とする請求項１〜３のいずれか１項に記載の画像形成装置。
【請求項５】
前記第１移動部材は、画像形成装置の構成部材であることを特徴とする請求項１〜４のいずれか１項に記載の画像形成装置。
【請求項６】
前記第１移動部材は、画像形成装置の定着手段への接触を防ぐためのシャッター部材であることを特徴とする請求項１〜５のいずれか１項に記載の画像形成装置。
【請求項７】
前記第１移動部材は、画像形成装置における記録材搬送ガイド部材であることを特徴とする請求項１〜５のいずれか１項に記載の画像形成装置。
【請求項８】
前記検知部は、発光部と受光部を有する光センサであり、
前記第１移動部材及び第２移動部材は、前記発光部の光を前記受光部に対して遮るための遮光部を有し、
前記検知部は、前記受光部の受光状態が前記第１状態と前記第２状態で変化することを特徴とする請求項１〜７のいずれか１項に記載の画像形成装置。
【請求項９】
前記検知部は、前記第１状態において前記発光部の光が前記受光部で受光され、前記第２状態において前記発光部の光が前記遮光部によって遮られて前記受光部で受光されないことを特徴とする請求項８に記載の画像形成装置。
【請求項１０】
画像形成装置の装置本体に対して開閉可能に設けられた開閉部材と、
前記装置本体に対して移動可能に設けられ、画像形成装置の定着手段への接触を防ぐためのシャッター部材と、
前記開閉部材に設けられ、前記開閉部材が閉じられる際に前記シャッター部材と接触し
て前記シャッター部材を移動させ、前記開閉部材が閉状態にあるときに前記シャッター部材を第１位置に位置させる第１押圧部と、
前記装置本体の前記シャッター部材の移動方向に直交する方向の一端側に並んで配置され、前記シャッター部材と同じ方向に移動可能に構成された第２移動部材と、
前記開閉部材に設けられ、前記開閉部材が閉じられる際に前記第２移動部材と接触して前記第２移動部材を移動させ、前記開閉部材が閉状態にあるときに前記第２移動部材を第２位置に位置させる第２押圧部と、
前記シャッター部材が前記第１位置に位置し、かつ、前記第２移動部材が前記第２位置に位置する第１状態と、前記シャッター部材が前記第１位置とは異なる位置に位置する、または、前記第２移動部材が前記第２位置とは異なる位置に位置する第２状態のいずれかの状態を検知する検知部と、
を備えることを特徴とする画像形成装置。
【請求項１１】
前記第１押圧部は、前記シャッター部材の他端側と接触して前記シャッター部材を移動させることを特徴とする請求項１０に記載の画像形成装置。
【請求項１２】
前記シャッター部材と前記第２移動部材は、同軸上に回転可能に支持されていることを特徴とする請求項１０または１１に記載の画像形成装置。
【請求項１３】
前記シャッター部材の前記一端側の端部に設けられた第１被検知部と、
前記第２移動部材に設けられた第２被検知部と、
を備え、
前記検知部は、前記シャッター部材の前記一端側の近傍に配置され、前記第１被検知部と前記第２被検知部の位置関係に基づいて前記第１状態または第２状態のいずれかの状態を検知することを特徴とする請求項１０〜１２のいずれか１項に記載の画像形成装置。
【請求項１４】
画像形成装置の装置本体に対して開閉可能に設けられた開閉部材と、
前記装置本体に対して移動可能に設けられた記録材搬送ガイド部材と、
前記開閉部材に設けられ、前記開閉部材が閉じられる際に前記記録材搬送ガイド部材と接触して前記記録材搬送ガイド部材を移動させ、前記開閉部材が閉状態にあるときに前記記録材搬送ガイド部材を第１位置に位置させる第１押圧部と、
前記装置本体の前記記録材搬送ガイド部材の移動方向に直交する方向の一端側に並んで配置され、前記記録材搬送ガイド部材と同じ方向に移動可能に構成された第２移動部材と、
前記開閉部材に設けられ、前記開閉部材が閉じられる際に前記第２移動部材と接触して前記第２移動部材を移動させ、前記開閉部材が閉状態にあるときに前記第２移動部材を第２位置に位置させる第２押圧部と、
前記記録材搬送ガイド部材が前記第１位置に位置し、かつ、前記第２移動部材が前記第２位置に位置する第１状態と、前記記録材搬送ガイド部材が前記第１位置とは異なる位置に位置する、または、前記第２移動部材が前記第２位置とは異なる位置に位置する第２状態のいずれかの状態を検知する検知部と、
を備えることを特徴とする画像形成装置。
【請求項１５】
前記第１押圧部は、前記記録材搬送ガイド部材の他端側と接触して前記記録材搬送ガイド部材を移動させることを特徴とする請求項１４に記載の画像形成装置。
【請求項１６】
前記記録材搬送ガイド部材と前記第２移動部材は、同軸上に回転可能に支持されていることを特徴とする請求項１４または１５に記載の画像形成装置。
【請求項１７】
前記記録材搬送ガイド部材の前記一端側の端部に設けられた第１被検知部と、
前記第２移動部材に設けられた第２被検知部と、
を備え、
前記検知部は、前記記録材搬送ガイド部材の前記一端側の近傍に配置され、前記第１被検知部と前記第２被検知部の位置関係に基づいて前記第１状態または第２状態のいずれかの状態を検知することを特徴とする請求項１４〜１６のいずれか１項に記載の画像形成装置。
【請求項１８】
前記検知部は、発光部と受光部を有する光センサであり、
前記第１被検知部及び第２被検知部は、前記発光部の光を前記受光部に対して遮るための遮光部であり、
前記検知部は、前記受光部の受光状態が前記第１状態と前記第２状態で変化することを特徴とする請求項１３または１７に記載の画像形成装置。
【請求項１９】
前記検知部は、前記第１状態において前記発光部の光が前記受光部で受光され、前記第２状態において前記発光部の光が前記遮光部によって遮られて前記受光部で受光されないことを特徴とする請求項１８に記載の画像形成装置。
【請求項２０】
前記第１押圧部は、前記開閉部材が前記装置本体に対して移動する方向に直交する方向における前記開閉部材の一端側に設けられ、
前記第２押圧部は、前記開閉部材が前記装置本体に対して移動する方向に直交する方向における前記開閉部材の他端側に設けられていることを特徴とする請求項１〜１９のいずれか１項に記載の画像形成装置。
【発明の詳細な説明】
【技術分野】
【０００１】
本発明は、画像形成装置に関する。
【背景技術】
【０００２】
複写機やプリンタなど、電子写真方式（あるいは静電記録方式）によって記録材に画像を形成する画像形成装置は、装置内部を外部に開放できるように、装置本体に対し開閉可能に構成された開閉ドアを備えている。装置本体内部で用紙の詰まり（ジャム）が発生したり、プロセスカートリッジの交換が必要になった場合など、装置内部に対して作業が必要な場合には、開閉ドアを開放状態にすることで、ユーザーが装置本体内部へアクセス可能となる。また、通常使用時は開閉ドアを閉塞状態とし、これをセンサによって検知し、開閉ドアが開放状態のときには装置内部の駆動伝達や電圧印加を行わないように構成している。これは、装置の動作中にユーザーが駆動部や電極部へ接触することによる怪我・感電を防止するためである。
また、開閉ドアの両端部がねじれる（ドア全体がゆがむことにより端部の位置が本来の位置から変位する）ことにより、両端部の一方は閉塞状態になるものの、他方が開放状態になってしまう場合がある（以後、この状態を片閉まり状態と呼ぶ）。このような状態では、例えば、開閉ドアに搬送ローラや紙搬送路を設けている場合、ジャム、用紙の斜行、画像不良といった不具合が発生してしまう。そのため、開閉状態を検知するセンサは、片閉まり状態になっている場合は、開閉ドアは開放状態であると検知し、印字を行うことができないようにする必要がある。
開閉ドアの両端部が閉塞状態であることを検知するためには、開閉ドアの両端にセンサを配置し、それぞれの開閉状態を検知する方法が考えられるが（例えば、特許文献１）、スペース、コストの観点からセンサの数は１つであることが望ましい。また、１つのセンサのみで検知するために、開閉ドアの剛性を高くすることでねじれを防ぐ方法も考えられるが、同様にスペースが増加し、コストが上がってしまう。
１つのセンサのみで開閉ドアの両端部が閉塞状態であることを検知する構成として、例えば特許文献２には、装置本体の幅全域にわたる大きさ（幅）の移動部材を設け、センサを移動部材の中央部に接触可能に配置する構成が開示されている。この構成では、開閉ドアが移動部材の両端部を同時に押した場合のみ、中央に配置したセンサがそれを検知し、両端部が閉塞状態にあることを検知するようになっている。
【先行技術文献】
【特許文献】
【０００３】
【特許文献１】実開平５−８５６６号公報
【特許文献２】特開２０００−２７５９２２号公報
【発明の概要】
【発明が解決しようとする課題】
【０００４】
しかしながら、上記従来例では、次のような課題があった。装置本体の幅全域にわたる大きさの移動部材を新たに設けると、大きなスペースを要し、またコストが上がってしまう。さらに、センサ配置が中央部に制限されると、装置本体の側面部から束線経路を設けなければならなくなったり、必要な束線長が伸びてしまう場合があるため、同様にスペースを要し、コストが上がってしまう。
【０００５】
本発明の目的は、より簡易な構成によって開閉ドアの開閉状態を検知可能な画像形成装置を提供することである。
【課題を解決するための手段】
【０００６】
上記目的を達成するため、本発明の画像形成装置は、
画像形成装置の装置本体に対して開閉可能な開閉部材と、
前記装置本体及び前記開閉部材のうちの一方に設けられ、前記一方において移動可能に構成された第１移動部材及び第２移動部材と、
前記装置本体及び前記開閉部材のうちの他方に設けられ、前記開閉部材が閉じられる際に前記第１移動部材と接触して前記第１移動部材を移動させ、前記開閉部材が閉状態にあるときに前記第１移動部材を第１位置に位置させるように構成された第１押圧部と、
前記他方に設けられ、前記開閉部材が閉じられる際に前記第２移動部材と接触して前記第２移動部材を移動させ、前記開閉部材が閉状態にあるときに前記第２移動部材を第２位置に位置させるように構成された第２押圧部と、
前記装置本体の側方に配置され、前記第１移動部材が前記第１位置に位置し、かつ、前記第２移動部材が前記第２位置に位置する第１状態と、前記第１移動部材が前記第１位置とは異なる位置に位置する、または、前記第２移動部材が前記第２位置とは異なる位置に位置する第２状態のいずれかの状態を検知する検知部と、
を備えることを特徴とする。
また、上記目的を達成するため、本発明の画像形成装置は、
画像形成装置の装置本体に対して開閉可能に設けられた開閉部材と、
前記装置本体に対して移動可能に設けられ、画像形成装置の定着手段への接触を防ぐためのシャッター部材と、
前記開閉部材に設けられ、前記開閉部材が閉じられる際に前記シャッター部材と接触して前記シャッター部材を移動させ、前記開閉部材が閉状態にあるときに前記シャッター部材を第１位置に位置させる第１押圧部と、
前記装置本体の前記シャッター部材の移動方向に直交する方向の一端側に並んで配置され、前記シャッター部材と同じ方向に移動可能に構成された第２移動部材と、
前記開閉部材に設けられ、前記開閉部材が閉じられる際に前記第２移動部材と接触して前記第２移動部材を移動させ、前記開閉部材が閉状態にあるときに前記第２移動部材を第２位置に位置させる第２押圧部と、
前記シャッター部材が前記第１位置に位置し、かつ、前記第２移動部材が前記第２位置に位置する第１状態と、前記シャッター部材が前記第１位置とは異なる位置に位置する、または、前記第２移動部材が前記第２位置とは異なる位置に位置する第２状態のいずれかの状態を検知する検知部と、
を備えることを特徴とする。
また、上記目的を達成するため、本発明の画像形成装置は、
画像形成装置の装置本体に対して開閉可能に設けられた開閉部材と、
前記装置本体に対して移動可能に設けられた記録材搬送ガイド部材と、
前記開閉部材に設けられ、前記開閉部材が閉じられる際に前記記録材搬送ガイド部材と接触して前記記録材搬送ガイド部材を移動させ、前記開閉部材が閉状態にあるときに前記記録材搬送ガイド部材を第１位置に位置させる第１押圧部と、
前記装置本体の前記記録材搬送ガイド部材の移動方向に直交する方向の一端側に並んで配置され、前記記録材搬送ガイド部材と同じ方向に移動可能に構成された第２移動部材と、
前記開閉部材に設けられ、前記開閉部材が閉じられる際に前記第２移動部材と接触して前記第２移動部材を移動させ、前記開閉部材が閉状態にあるときに前記第２移動部材を第２位置に位置させる第２押圧部と、
前記記録材搬送ガイド部材が前記第１位置に位置し、かつ、前記第２移動部材が前記第２位置に位置する第１状態と、前記記録材搬送ガイド部材が前記第１位置とは異なる位置に位置する、または、前記第２移動部材が前記第２位置とは異なる位置に位置する第２状態のいずれかの状態を検知する検知部と、
を備えることを特徴とする。
【発明の効果】
【０００７】
本発明によれば、簡易な構成によって開閉ドアの開閉状態を検知することができる。
【図面の簡単な説明】
【０００８】
【図１】本発明の実施例１に係る画像形成装置の模式的断面図
【図２】開閉ドアが開放状態のときの画像形成装置の模式的断面図
【図３】開閉ドアが閉塞状態のときの開閉ドア近傍の構成を示す模式的斜視図
【図４】開閉ドアの姿勢に対する定着シャッターおよびアームの関係を示す概略図
【図５】開閉ドアの姿勢に対する定着シャッターおよびアームの関係を示す概略図
【図６】開閉ドアの姿勢に対する定着シャッターおよびアームの関係を示す概略図
【図７】開閉ドアの姿勢に対する定着シャッターおよびアームの関係を示す概略図
【図８】本発明の実施例２に係る画像形成装置の模式的断面図
【図９】両面印字時に記録材の進行方向が反転した状態を示す模式的断面図
【図１０】開閉ドアが開放状態のときの画像形成装置の模式的断面図
【図１１】開閉ドアが閉塞状態のときの開閉ドア近傍の構成を示す模式的斜視図
【図１２】開閉ドアの姿勢に対する反転ガイドおよびアームの関係を示す概略図
【発明を実施するための形態】
【０００９】
以下に図面を参照して、この発明を実施するための形態を、実施例に基づいて例示的に詳しく説明する。ただし、この実施の形態に記載されている構成部品の寸法、材質、形状それらの相対配置などは、発明が適用される装置の構成や各種条件により適宜変更されるべきものである。すなわち、この発明の範囲を以下の実施の形態に限定する趣旨のものではない。
【００１０】
（実施例１）
図１〜図７を参照して、本発明の実施例１に係る画像形成装置について説明する。図１は、本実施例に係る画像形成装置の一例であるレーザービームプリンタの模式的断面図である。以下の説明において、画像形成装置（装置本体とも記す）の前側とはプロセスカートリッジＰＫを配置した側（図１における右側）である。後側とはプロセスカートリッジＰＹを配置した側（図１における左側）である。前後方向とは、装置本体後側から前側に向かう方向（前方向）と、その逆の方向（後方向）である。左右とは装置本体を前側から見て左または右である。左右方向とは、右から左に向かう方向（左方向）と、その逆の方向（右方向）である。
【００１１】
図１に示すように、装置本体内には、後側から前側にかけて、第１から第４の４つのプロセスカートリッジＰＹ・ＰＭ・ＰＣ・ＰＫを略水平方向に並べて配置（インライン構成、タンデム型）してある。各プロセスカートリッジは、それぞれ収容するトナーの色は異なるが、互いに同様の構成のものである。各プロセスカートリッジは、それぞれ、像担持体としての感光ドラム１（１ａ、１ｂ、１ｃ、１ｄ）と、このドラムに作用するプロセス手段としての現像ローラ２（２ａ、２ｂ、２ｃ、２ｄ）等がカートリッジ枠体内に一体的に組み付けられたものである。各プロセスカートリッジの上方部には、レーザースキャナユニット３を配置してある。このスキャナユニット３は、レーザー光により各プロセスカートリッジの感光ドラム１のドラム面を走査露光する。これにより各ドラム面に静電潜像が順次形成され、続いてその静電潜像が現像ローラ２で現像され、各ドラム面にトナー像が形成される。
【００１２】
各プロセスカートリッジの下方部には、中間転写ベルト４を配置してある。この中間転写ベルト４は、駆動ローラ５、従動ローラ６、テンションローラ７で張架され、図中の矢印方向へ回転する。各プロセスカートリッジの感光ドラム１は、その周面の下側が、中間
転写ベルト４の外周面の上側の領域に接している。中間転写ベルト４の内側には、各プロセスカートリッジの感光ドラム１に対向させて４個の一次転写ローラ８（８ａ、８ｂ、８ｃ、８ｄ）を配置してある。駆動ローラ５には、中間転写ベルト４を介して二次転写ローラ９を当接させてある。装置本体内の後側の上部には、定着装置１０と、排紙ローラ対１１を配置してある。装置本体の上面には排紙トレイ１２を配置してある。定着装置１０は定着フィルム１０ａと加圧ローラ１０ｂを有するものを用いている。排紙ローラ対１１は排紙ローラ１１ａと排紙コロ１１ｂを有するものを用いている。
【００１３】
給紙トレイ１３内に積載収納された転写材（記録用紙などの記録材）１４は、図中の矢印方向に回転する給紙ローラ１５により給送され、駆動ローラ５と二次転写ローラ９のニップ部へ送られる。次に、中間転写ベルト４に形成されたトナー像は、駆動ローラ５と二次転写ローラ９のニップ部に送られた転写材１４に転写される。さらに、トナー像が転写された転写材１４は、定着フィルム１０ａと加圧ローラ１０ｂのニップ部へ送られ、ここで加熱加圧されてトナー像が転写材１４に定着する。トナー像が定着された転写材１４は、排紙ローラ１１ａと排紙コロ１１ｂにより、排紙トレイ１２に排出される。
【００１４】
開閉ドア１６（開閉部材）は、ドア支点１６ａを支点とし、装置本体に対して回動可能に設けられており、この開閉ドア１６によって画像形成装置は装置本体の内部を外部に対して開閉可能になっている。また装置本体の左右両端に設けられたロック部材１７が、開閉ドア１６のロックピン１６ｂと係合することで開閉ドア１６を閉塞状態に保持している。開閉ドア１６に備えられた開閉レバー１６ｃを回動させると、不図示の機構により、ロック部材１７がロック部材軸１７ａを支点に移動する。そして、ロック部材１７が、ロックピン１６ｂとの係合を解除することで、開閉ドア１６を開くことが可能となる。
【００１５】
図２は、本実施例における開閉ドア１６の開放状態を示す模式的断面図である。開閉ドア１６を開くと、開口部Ｅから装置本体内部へアクセス可能となり、例えば、用紙の詰まり（ジャム）が発生した場合に、ユーザーが装置本体内部でのジャム処理が可能となる。シャッター部材としての定着シャッター１８は、装置本体に対して回動可能（移動可能）に支持されており、開閉ドア１６が開くとその動作に連動し、図中矢印方向に移動する。これは、定着装置１０への開口部を塞ぐことで、ユーザーが高温部に接触してしまうといった問題を防ぐためである。
【００１６】
また、装置本体の左側には、開閉ドア１６の開閉状態を検知するために、ドア開閉センサ１９（検知部）が備えられている。本実施例では、検知部として用いる光センサの一例として、光が遮られることにより物体の有無を検出するフォトインタラプタを用いている。すなわち、ドア開閉センサ１９は、発光部１９ｂのセンサ光１９ａが受光部１９ｃで受光される状態と何かに遮られて受光されない状態の２種類の受光状態の変化を検知する構成となっている。
【００１７】
開閉ドア１６を閉める際は、ユーザーが開閉ドア１６を装置本体側に押し込むことで、ロックピン１６ｂがロック部材１７に係合し保持される。このとき、ユーザーが開閉ドア１６の左右両端のうちの一方を押し込むと、ロック部材１７からの反力で開閉ドア１６にねじれが生じる。そして、左右両端の一方が閉塞状態、他方が開放状態となり、片閉まり状態となる場合がある。本実施例では、開閉ドア１６に二次転写ローラ９や紙搬送部を備えているため、片閉まり状態で印字を行ってしまうと、ジャム、用紙の斜行や、二次転写圧の左右差による画像不良といった不具合が発生し得る。そのため、開閉ドア１６が片閉まり状態にならず、左右両端が閉塞状態であることを検知する必要がある。
【００１８】
図３〜図７を参照して、本実施例における開閉状態の検知構成について具体的に説明する。図３は、閉塞状態における開閉ドア１６近傍の構成を示す模式的斜視図である。定着
シャッター１８（第１移動部材）は、右端端部に右ドア押圧部１８ａ、左端端部にシャッターフラグ１８ｂ（遮光部）を備えている。アーム２０（第２移動部材）は、定着シャッター軸１８ｃに嵌合し、定着シャッター１８に対して回転自在に保持されており、左ドア押圧部２０ａ、アームフラグ２０ｂ（遮光部）を備えている。また、定着シャッター１８およびアーム２０は、それぞれ不図示の付勢手段により図中矢印方向に付勢されている。開閉ドア１６の右端（移動方向に直交する方向の一端側）には右押圧リブ１６ｄ（第１押圧部）が、左端（他端側）には左押圧リブ１６ｅ（第２押圧部）が備えられ、それぞれ右ドア押圧部１８ａ、左ドア押圧部２０ａに当接している。定着シャッター１８とアーム２０は、互いに同軸上に並んで回転可能に支持されており、開閉ドア１６が閉じられる際に、それぞれ右押圧リブ１６ｄ、左押圧リブ１６ｅによって押されることで同じ方向に回転する。
【００１９】
図４〜図７は、開閉ドア１６の姿勢に対する定着シャッター１８およびアーム２０の関係を示す概略図である。ドア開閉センサ１９は、第１被検知部であるシャッターフラグ１８ｂと、第２被検知部であるアームフラグ２０ｂとの位置関係により、センサ光１９ａが遮光されない状態（第１状態）と、遮光される状態（第２状態）の２つの状態を検出する。画像形成装置は、ドア開閉センサ１９から第１状態に対応する信号出力が出力されると、開閉ドア１６が閉状態にあると判断し、画像形成部に対して画像形成動作を許可する。一方、画像形成装置は、ドア開閉センサ１９から第２状態に対応する信号出力が出力されると、開閉ドア１６が開状態にあると判断し、画像形成部に対して画像形成動作を禁止・停止させる。
【００２０】
図４は、閉塞状態（閉状態、第１状態）における配置を示しており、図４（ａ）は断面図、図４（ｂ）は上面図である（定着シャッター１８が位置Ｂ（第１位置）、アーム２０が位置Ｄ（第２位置）の状態）。開閉ドア１６が閉じられる際、右押圧リブ１６ｄおよび左押圧リブ１６ｅが、それぞれ右ドア押圧部１８ａ、左ドア押圧部２０ａと当接し、定着シャッター１８およびアーム２０を移動させる。開閉ドア１６の左右両端がそれぞれ所定の閉塞位置まで移動すると、開閉ドア１６は閉塞状態となり、定着シャッター１８およびアーム２０は、ドア開閉センサ１９のセンサ光１９ａが透過状態となる位置Ｂ、位置Ｄにそれぞれ位置する。
【００２１】
図５は、左右両端のいずれもが所定の閉塞位置から外れた開閉ドア１６の開放状態（開状態、第２状態）における配置を示しており、図５（ａ）は断面図、図５（ｂ）は上面図である（定着シャッター１８が位置Ａ、アーム２０が位置Ｃの状態）。開閉ドア１６が開放状態のとき、右押圧リブ１６ｄ、左押圧リブ１６ｅともに定着シャッター１８、アーム２０から離れた位置に退避した状態となり、定着シャッター１８、アーム２０は不図示の付勢手段により付勢されてそれぞれ図中矢印方向へ回動する。これにより、シャッターフラグ１８ｂおよびアームフラグ２０ｂがセンサ光１９ａを遮るため、ドア開閉センサ１９は遮光状態になる。このとき、定着シャッター１８は定着装置１０への開口部を塞いだ状態となる。
【００２２】
図６は、開閉ドア１６の左側が開放状態、右側が閉塞状態の片閉まり状態（第２状態）における配置を示しており、図６（ａ）は断面図、図６（ｂ）は上面図である（定着シャッター１８が位置Ｂ、アーム２０が位置Ｃの状態）。開閉ドア１６がねじれて、左押圧リブ１６ｅが閉塞状態まで到達しないと、アーム２０は図中θ１だけずれるため、アームフラグ２０ｂがセンサ光１９ａを遮り、ドア開閉センサ１９は遮光状態になる。
【００２３】
図７は、開閉ドア１６の左側が閉塞状態、右側が開放状態の片閉まり状態（第２状態）における配置を示しており、図７（ａ）は断面図、図７（ｂ）は上面図である（定着シャッター１８が位置Ａ、アーム２０が位置Ｄの状態）。開閉ドア１６がねじれて、右押圧リ
ブ１６ｄが閉塞状態まで到達しないと、定着シャッター１８は図中θ２だけずれるため、シャッターフラグ１８ｂがセンサ光１９ａを遮り、ドア開閉センサ１９は遮光状態になる。
【００２４】
このように、左右両端において開閉ドア１６の姿勢を検知することで、少なくとも一方が開放状態となっている場合、ドア開閉センサ１９が遮光状態になり、左右両端が閉塞状態となった場合のみ、ドア開閉センサ１９が透光状態となる。
【００２５】
以上説明したように、本実施例では、装置本体の側方であるシャッター部材の一端側の近傍に配置された１つのセンサで開閉ドア１６の左右両端が閉塞状態であることを検知することができる。また、本実施例では、定着シャッター１８とアーム２０を同軸上に配置しており、これら２部品間の位置精度が高いため、左右両端の検知誤差を小さくすることができる。また、センサを配置していない右側の開閉状態を検知するために、画像形成装置の構成部材の一つである定着シャッター１８を利用しているため、装置幅全域にわたるような大きさの部材を新たに設ける必要がなく、スペース、コストを抑えることができる。
【００２６】
（実施例２）
図８〜図１２を参照して、本発明の実施例２に係る画像形成装置について説明する。なお、本実施例に係る画像形成装置における画像形成の手順は実施例１と同様であり、構成・作用が重複するものは同一の符号を付し説明は略す。ここで説明しない事項は、実施例１と同様である。
【００２７】
図８は、本実施例に係る画像形成装置の構成を示す模式的断面図である。本実施例に係る画像形成装置は、両面印字機能を備えており、第一の印字面（表面）に画像を転写・定着された転写材１４の紙後端が図中に示すＲの位置まで到達すると、反転ガイド２１を回動させる。これと略同一のタイミングで排紙ローラ１１ａと排紙コロ１１ｂの回転方向を逆転させることで、転写材１４の進行方向が反転する（紙後端が紙先端となる）。
【００２８】
図９は、進行方向を反転させた状態を示す図である。進行方向を反転させた転写材１４は、第一の両面搬送ローラ対２２、第二の両面搬送ローラ対２３を通り、再度駆動ローラ５と二次転写ローラ９のニップ部へ送られる。その後、反転ガイド２１が図８に示す位置に戻り、第二の印字面（裏面）に画像が転写・定着された転写材１４は、排紙ローラ１１ａと排紙コロ１１ｂにより、排紙トレイ１２に排出される。
【００２９】
図１０は、本実施例における開閉ドア２４の開放状態を示す図である。開閉ドア２４は、ドア支点２４ａを支点とし、装置本体に対して回動可能に設けられており、装置本体の左右両端に設けられたロック部材１７が、開閉ドア２４のロックピン２４ｂと係合することで開閉ドア２４を閉塞状態に保持している。開閉ドア２４に備えられた開閉レバー２４ｃを回動させると、不図示の機構により、ロック部材１７がロック部材軸１７ａを支点に移動してロックピン２４ｂとの係合を解除され、開閉ドア２４を開くことが可能となる。
【００３０】
開閉ドア２４を開くと、第一両面搬送ローラ２２ａおよび第二両面搬送ローラ２３ａが開閉ドア２４とともに移動することで、開口部Ｆから第一の両面搬送コロ２２ｂおよび第二の両面搬送コロ２３ｂ近傍のジャム処理が可能となる。また、反転ガイド２１は、開閉ドア２４が開くとその動作に連動し、図中矢印方向に移動するため、開口部Ｇから定着装置１０と排紙ローラ対１１の間のジャム処理が可能となる。
【００３１】
図１１、図１２を参照して、本実施例における開閉ドア２４の開閉状態の検知構成について具体的に説明する。図１１は、閉塞状態における開閉ドア２４近傍の構成を示す模式
的斜視図である。反転ガイド２１（記録材搬送ガイド部材）は、右端端部に右ドア押圧部２１ａ、左端端部に反転ガイドフラグ２１ｂを備えている。アーム２５（第２移動部材）は、反転ガイド軸２１ｃに嵌合し、反転ガイド２１に対して回転自在に保持されており、左ドア押圧部２５ａ、アームフラグ２５ｂを備えている。また、反転ガイド２１およびアーム２５は、不図示の付勢手段によりそれぞれ図中矢印方向に付勢されている。開閉ドア２４の右端には右押圧リブ２４ｄ（第１押圧部）が、左端には左押圧リブ２４ｅ（第２押圧部）が備えられ、それぞれ右ドア押圧部２１ａ、左ドア押圧部２５ａに当接している。
【００３２】
図１２は、開閉ドア２４の姿勢に対する反転ガイド２１およびアーム２５の関係を示す概略上面図である。ドア開閉センサ１９は、第１被検知部である反転ガイドフラグ２１ｂと、第２被検知部であるアームフラグ２５ｂとの位置関係により、センサ光１９ａが遮光されない状態（第１状態）と、遮光される状態（第２状態）の２つの状態を検出する。
【００３３】
図１２（ａ）は、閉塞状態（閉状態、第１状態）における配置を示している（反転ガイド２１が位置Ｂ（第１位置）、アーム２５が位置Ｄ（第２位置）の状態）。開閉ドア２４が閉じられる際、右押圧リブ２４ｄおよび左押圧リブ２４ｅが、それぞれ右ドア押圧部２１ａ、左ドア押圧部２５ａと当接し、反転ガイド２１およびアーム２５を移動させる。開閉ドア２４の左右両端がそれぞれ所定の閉塞位置まで移動すると、開閉ドア２４は閉塞状態となり、ドア開閉センサ１９のセンサ光１９ａが透過状態となる。なお、両面印字時に反転ガイド２１を図９に示す位置に移動させた際も、ドア開閉センサ１９は透過状態を維持する。
【００３４】
図１２（ｂ）は、左右両端のいずれもが所定の閉塞位置から外れた開閉ドア２４の開放状態（開状態、第２状態）における配置を示している（反転ガイド２１が位置Ａ、アーム２５が位置Ｃの状態）。開閉ドア２４が開放状態にあるとき、右押圧リブ２４ｄ、左押圧リブ２４ｅともに反転ガイド２１、アーム２５から離れた位置に退避した状態となり、反転ガイド２１およびアーム２５は、その動作に連動して付勢力により回転する。これにより、反転ガイドフラグ２１ｂおよびアームフラグ２５ｂがセンサ光１９ａを遮るため、ドア開閉センサ１９は遮光状態になる。
【００３５】
図１２（ｃ）は、開閉ドア２４の左側が開放状態、右側が閉塞状態の片閉まり状態（第２状態）における配置を示している（反転ガイド２１が位置Ｂ、アーム２５が位置Ｃの状態）。開閉ドア２４がねじれて、左押圧リブ２４ｅが閉塞状態まで到達しないと、アームフラグ２５ｂがセンサ光１９ａを遮り、ドア開閉センサ１９は遮光状態になる。
【００３６】
図１２（ｄ）は、開閉ドア２４の左側が閉塞状態、右側が開放状態の片閉まり状態（第２状態）における配置を示している（反転ガイド２１が位置Ａ、アーム２５が位置Ｄの状態）。開閉ドア２４がねじれて、右押圧リブ２４ｄが閉塞状態まで到達しないと、反転ガイドフラグ２１ｂがセンサ光１９ａを遮り、ドア開閉センサ１９は遮光状態になる。
【００３７】
このように、左右両端において開閉ドア２４の姿勢を検知することで、少なくとも一方が開放状態となっている場合、ドア開閉センサ１９が遮光状態になり、左右両端が閉塞状態となった場合のみ、ドア開閉センサ１９が透光状態となる。
【００３８】
以上説明したように、本実施例では、記録材搬送ガイド部材の一端側の近傍に配置された１つのセンサで開閉ドア２４の左右両端が閉塞状態であることを検知することができる。また、本実施例では、反転ガイド２１とアーム２５を同軸上に配置しており、これら２部品間の位置精度が高いため、左右両端の検知誤差を小さくすることができる。また、センサを配置していない右側の開閉状態を検知するために、画像形成装置の構成部材の一つである反転ガイド２１を利用しているため、幅全域にわたるような大きさの部材を新たに
設ける必要がなく、スペース、コストを抑えることができる。
【００３９】
１６…開閉ドア（開閉部材）、１６ｄ…右押圧リブ（第１押圧部）、１６ｅ…左押圧リブ（第２押圧部）、１８…定着シャッター（第１移動部材）、１９…ドア開閉センサ（検知部）、２０…アーム（第２移動部材）
【図１】
2015141252.tif 000003
【図２】
2015141252.tif 000004
【図３】
2015141252.tif 000005
【図４】
2015141252.tif 000006
【図５】
2015141252.tif 000007
【図６】
2015141252.tif 000008
【図７】
2015141252.tif 000009
【図８】
2015141252.tif 000010
【図９】
2015141252.tif 000011
【図１０】
2015141252.tif 000012
【図１１】
2015141252.tif 000013
【図１２】
2015141252.tif 000014